(57)【特許請求の範囲】
【請求項１】
二組の長尺な対向フレームにより矩形に組み立てられた外周部と、一組の対向フレーム間に懸架され、上記矩形の表面に対し直交方向の位置が異なる状態で設けられた複数の懸架部材と、この懸架部材に太陽電池モジュールを取り付けるために該懸架部材の適宜個所に設けられたモジュール取付手段とを備え、上記外周部を構成する少なくとも一組の対向フレームは、上記懸架部材に太陽電池モジュールを取り付けたとき、該太陽電池モジュールが上記外周部の矩形の表面側に突出しない高さ寸法を有する対向フレームであることを特徴とする太陽電池モジュールの取付架台。
【請求項２】
二組の長尺な対向フレームにより矩形に組み立てられた外周部と、一組の対向フレーム間に懸架された懸架部材と、この懸架部材に太陽電池モジュールを取り付けるために該懸架部材の適宜個所に設けられたモジュール取付手段と、上記外周部により形成される矩形の表面から突出し、該外周部を構成する少なくとも一組の対向フレームに設けられる突出部とを備え、上記外周部を構成する少なくとも一組の対向フレームは、上記懸架部材に太陽電池モジュールを取り付けたとき、該太陽電池モジュールが上記外周部の矩形の表面側に突出しない高さ寸法を有する対向フレームであることを特徴とする太陽電池モジュールの取付架台。
【請求項３】
前記モジュール取付手段は、前記太陽電池モジュールの外枠または該外枠を係止する係止部材を締着させる締着手段であることを特徴とする請求項１または２に記載の太陽電池モジュールの取付架台。
【請求項４】
請求項１ないし３のいずれかに記載の太陽電池モジュールの取付架台であって、さらに、前記外周部を構成する少なくとも一組の対向フレームは、建物の一部に固定するための固定手段を備えることを特徴とする太陽電池モジュールの取付架台。
【請求項５】
前記固定手段は、前記建物の一部から突出するように設けられたフレーム支持部材と、このフレーム支持部材に前記フレームのいずれかを連結する連結部材とを備えた固定手段であることを特徴とする請求項４に記載の太陽電池モジュールの取付架台。
【請求項６】
適宜間隔を有して配置される平行な二本の長軸フレームと、この両長軸フレームの対向する端部に連続して該長軸フレームとともに略長方形の外周部を形成する二本の短軸フレームと、上記長軸フレームの長手方向中間に対向する該長軸フレーム間に懸架されてなる仕切フレームと、上記二本の長軸フレームならびに上記短軸フレームおよび上記仕切フレームで形成される矩形領域、または、上記二本の長軸フレームおよび二本の仕切フレームで形成される矩形領域のうち、対向する一組のフレーム間に懸架され、かつ該矩形領域の表面に対し直交方向の位置が異なる状態で設けられる複数の懸架部材と、この懸架部材に太陽電池モジュールを取り付けるために該懸架部材の適宜個所に設けられたモジュール取付手段と、上記長軸フレームまたは短軸フレームを建物の一部に固定するための固定手段とを備え、上記長軸フレームは、上記懸架部材に太陽電池モジュールを取り付けたとき、該太陽電池モジュールが上記外周部の長方形の表面側に突出しない高さ寸法を有する長軸フレームであることを特徴とする太陽電池モジュールの取付架台。
【請求項７】
請求項６に記載の太陽電池モジュールの取付架台であって、さらに、前記長軸フレームは、前記外周部の長方形の表面側に突出するように立設された突出部を備えた長軸フレームであることを特徴とする太陽電池モジュールの取付架台。
【請求項８】
前記モジュール取付手段は、前記太陽電池モジュールの外枠または該外枠を係止する係止部材を締着させる締着手段であることを特徴とする請求項６または７に記載の太陽電池モジュールの取付架台。
【請求項９】
前記建物の一部は、組立ハウスの屋根であり、前記固定手段は、上記屋根の表面を構成する折板鋼板の山形部に装着される固定手段であることを特徴とする請求項４、６、７または８に記載の太陽電池モジュールの取付架台。
【請求項１０】
前記固定手段は、前記建物の一部から突出するように設けられたフレーム支持部材と、このフレーム支持部材に前記フレームのいずれかを連結する連結部材とを備えた固定手段であることを特徴とする請求項６ないし８のいずれかに記載の太陽電池モジュールの取付架台。
【請求項１１】
前記建物の一部は、組立ハウスの外壁であり、前記フレーム支持部材は、上記組立ハウスの柱部材に突設されたフレーム支持部材であることを特徴とする請求項５または１０に記載の太陽電池モジュールの取付架台。
【請求項１２】
前記建物の一部は、ユニットハウスの屋根であり、前記フレーム支持部材は、上記屋根の対向する二つ端縁部に装着されるフレーム支持部材であることを特徴とする請求項５または１０に記載の太陽電池モジュールの取付架台。
【請求項１３】
前記固定手段は、対向する一組のフレームを支持するフレーム支持部材のうち、一方のフレーム支持部材が、他方のフレーム支持部材よりも長く突出してなる固定手段であることを特徴とする請求項１１または１２に記載の太陽電池モジュールの取付架台。
【発明の詳細な説明】
【技術分野】
【０００１】
本発明は、建物の一部に太陽電池モジュールを取り付けるために使用される取付架台に関するものである。
【背景技術】
【０００２】
建物に太陽電池モジュールを設置する場合は、建物に架台を設置し、この架台に太陽電池モジュールを取り付ける構成とするのが一般的である。そこで、従来の架台は、建物の屋根を構成する波形スレートを固定する固定ボルトによって横フレームを固定し、さらに横フレームに直交する縦フレームを固定することにより構成されていた。そして、太陽電池モジュールは、上記縦フレームの上面に載置されつつ外枠が縦フレームに取り付けられることにより設置されていた（特許文献１参照）。
【０００３】
ところが、上記架台は、屋根の上で太陽電池モジュールを設置することから、高所における長時間の作業を必要とするものであり、また、太陽電池モジュールのメンテナンス（太陽電池モジュールの交換等）においても高所で作業せざるを得ないものであった。また、建物の屋根に設置された太陽電池モジュールは、縦フレームに直付けされることから、水平な屋根に取り付けられた太陽電池モジュールの表面（上面）は、屋根の面に平行となり、埃等が蓄積しやすくなり、降雨によっても容易に除去されないことから、表面を清掃するなどのメンテナンスが必要となっていた。
【０００４】
他方、作業効率を向上させ、また設置後のメンテナンス性を向上させるために、架台に太陽電池モジュールを取り付けてなる太陽電池パネルアレイが提案されている（特許文献２参照）。
【先行技術文献】
【特許文献】
【０００５】
【特許文献１】特開平１０−２６６９４３号公報
【特許文献２】特開２０００−３０３６３９号公報
【発明の概要】
【発明が解決しようとする課題】
【０００６】
前掲の特許文献２に開示される発明は、太陽電池（セル）を有する太陽電池パネルの周縁部に取付プレートが設けられた太陽電池モジュールを使用するものであって、一方向に平行な架台に対し、その長手方向に隙間を有しつつ固定されるものであった。そして、架台とともに格子状を形成すべき部材として、建物構造の一部（例えば胴ぶち）が使用され、この建物構造の一部（胴ぶち等）との連結によって架台の状態が安定するものであった。
【０００７】
しかしながら、前記構成の技術は、平行な架台の中間に太陽電池モジュールを介在させる構成であることから、各架台は太陽電池モジュールを介して連結されることとなる。従って、建物構造の一部（胴ぶち等）と同時に設置する場合であれば、架台と太陽電池モジュールが強固に一体化されることとなるが、架台と太陽電池モジュールのみでは、それらが一体化された状態を維持するための強度に欠けることとなっていた。また、組立ハウスやユニットハウスのように、建物を構成する部材が既にモジュール化されている場合には、その一部を用いて太陽電池アレイを構成することは困難なものであった。
【０００８】
なお、上記従来技術によっても、水平な屋根に設置されることを想定した場合には、太陽電池モジュールの表面（上面）は水平な状態となるため、表面に付着した埃等を除去するためのメンテナンスが必要となるという問題点は解消されていなかった。
【０００９】
さらに、組立ハウスやユニットハウスは、一般的には仮設の建物として使用されることから、短期間（数ヶ月〜数年間）の使用の後には再び解体され、異なる場所において再度構築されるものであるところ、これらの建物の使用に供される太陽電池モジュールは、設置、解体および移動に耐え得る構造であることが要求されるものであった。
【００１０】
ところが、太陽電池モジュールを保護し得る構成の架台は提案されておらず、これらの要求を満たす太陽電池モジュールのための架台が切望されており、同時に、組立ハウスやユニットハウスの組立および解体に伴って容易に設置および撤去できるように、太陽電池モジュールをユニット化（モジュール化）し得る架台が切望されていた。
【００１１】
本発明は、上記諸点にかんがみてなされたものであって、その目的とするところは、組立、解体および移動に適する状態で太陽電池モジュールを設置でき、また、水平な屋根に設置した場合においても埃等の蓄積を抑制できるとともに、太陽電池モジュールを設置した状態においてユニット化することができる太陽電池モジュールの取付架台を提供することである。
【課題を解決するための手段】
【００１２】
そこで、本発明は、二組の長尺な対向フレームにより矩形に組み立てられた外周部と、一組の対向フレーム間に懸架された懸架部材と、この懸架部材に太陽電池モジュールを取り付けるために該懸架部材の適宜個所に設けられたモジュール取付手段とを備え、上記外周部を構成する少なくとも一組の対向フレームは、上記懸架部材に太陽電池モジュールを取り付けたとき、該太陽電池モジュールが上記外周部の矩形の表面側に突出しない高さ寸法を有する対向フレームであることを特徴とするものである。
【００１３】
上記構成によれば、本発明の架台に太陽電池モジュールを設置した場合において、対向フレームの高さ方向（前記外周部の矩形の表面に対し直交方向）の寸法を調整することにより、当該太陽電池モジュールは、外周部の矩形の表面から外方に突出することがないのである。従って、このような十分な高さ寸法を有する対向フレーム同士が当接するように、架台を積み重ねることによって、当該架台に設置される太陽電池モジュールが、積層される他の架台の一部に接触することを回避できるのである。つまり、太陽電池モジュールを設置した架台を積み上げた状態において、当該太陽電池モジュールを保護することができる。また、トラックの荷台や地面等のような平面上に架台を載置する場合においても、十分な高さ寸法を有する少なくとも一組の対向フレームが存在することにより、この対向フレームによって太陽電池モジュールは保護されることとなる。
【００１４】
また、本発明は、上記発明の構成に加えて、前記外周部を構成する少なくとも一組の対向フレームが、該外周部の矩形の表面から突出するように立設された突出部を備えた対向フレームであることを特徴とするものである。
【００１５】
上記構成によれば、上述のように、十分な高さ寸法を有する対向フレーム同士を当接させた状態で架台を積層するとき、突出部が外周部の矩形表面から突出し、この突出部を上位の対向フレームに連結することによって、積層された架台を一体的に結合させることができる。
【００１６】
上記各発明において、前記懸架部材が、前記矩形の表面に対し直交方向の位置が異なる状態で設けられた複数の懸架部材である構成とすることができる。
【００１７】
上記構成によれば、各フレームの軸線方向に対して、太陽電池モジュールの表面を斜状に設置することができる。これにより、建物の屋根に太陽電池モジュールを設置する場合において、当該屋根が陸屋根のような水平な屋根構造であるとしても、太陽電池モジュールの表面を斜状に設置することができる。
【００１８】
さらに、本発明は、上記各発明の構成に加えて、前記外周部を構成する少なくとも一組の対向フレームが、建物の一部に固定するための固定手段を備えることを特徴するものである。
【００１９】
上記構成によれば、架台に太陽電池モジュールを設置した状態において、架台を構成する対向フレームを建物の一部に固定することができ、この対向フレームの固定により、当該架台を介して太陽電池モジュールが建物の一部に設置することができる。また、予め架台に太陽電池モジュールを設置することにより、例えば、屋根上のような高所においても設置作業としては、対向フレームを屋根の表面に設置することのみによって実施できる。
【００２０】
上記発明において、前記固定手段が、前記建物の一部から突出するように設けられたフレーム支持部材と、このフレーム支持部材に前記フレームのいずれかを連結する突出部とを備えた構成とすることができる。
【００２１】
上記構成によれば、建物を構成する各種の部材にフレーム支持部材を連結または支持させることにより、当該フレーム支持部材との間においてフレームを固定することが可能となる。例えば、スレート屋根のように屋根材固定用のボルトを使用してフレーム支持部材を立設することも可能となる。
【００２２】
また、本発明は、適宜間隔を有して配置される平行な二本の長軸フレームと、この両長軸フレームの対向する端部に連続して該長軸フレームとともに略長方形の外周部を形成する二本の短軸フレームと、上記長軸フレームの長手方向中間に対向する該長軸フレーム間に懸架されてなる仕切フレームと、上記二本の長軸フレームならびに上記短軸フレームおよび上記仕切フレームで形成される矩形領域、または、上記二本の長軸フレームおよび二本の仕切フレームで形成される矩形領域のうち、対向する一組のフレーム間に懸架され、かつ該矩形領域の表面に対し直交方向の位置が異なる状態で設けられる複数の懸架部材と、この懸架部材に太陽電池モジュールを取り付けるために該懸架部材の適宜個所に設けられたモジュール取付手段と、上記長軸フレームまたは短軸フレームを建物の一部に固定するための固定手段とを備え、上記長軸フレームは、上記懸架部材に太陽電池モジュールを取り付けたとき、該太陽電池モジュールが上記外周部の長方形の表面側に突出しない高さ寸法を有する長軸フレームであることを特徴とするものである。
【００２３】
上記構成によれば、複数の太陽電池モジュールを設置する場合にあっては、仕切フレームにより区分された複数の矩形領域を単位として、個々の矩形領域ごとに懸架される懸架部材によって支持することができる。従って、多数の太陽電池モジュールを単一の架台に設置でき、この架台の長軸フレームまたは短軸フレームを建物の一部に固定することにより、多数の太陽電池モジュールを一度に設置することが可能となる。また、取り外す場合においても多数の太陽電池モジュールを同時に撤去することができる。さらに、長軸フレームの高さ方向（矩形の表面に対し直交方向）の寸法が、十分な程度に調整されることにより、外周部による長方形の表面から太陽電池モジュールが突出することがない。これにより、架台を複数積み上げる場合、長軸フレーム同士を当接させるようにすることによって、架台に設置される太陽電池モジュールが他の部材に接触することを防ぐことができる。なお、この高さ方向の寸法は、長軸フレームのみならず短軸フレームにおいても所定の高さ寸法に調整してもよい。ただし、短軸フレームのみによって調整する場合は、長軸フレームが撓む程度を考慮することが必要となる。
【００２４】
また、本発明は、上記発明の構成に加えて、さらに、前記長軸フレームが、前記外周部の長方形の表面側に突出するように立設された突出部を備えた長軸フレームであることを特徴とするものである。
【００２５】
上記構成によれば、架台に設置された太陽電池モジュールは、長軸フレームによって保護されつつ、複数の架台が積み上げられた状態において、その上下に隣接する架台同士を連結することができることとなり、当該積層状態を維持しつつ一体化させることができる。
【００２６】
上記各発明において、前記モジュール取付手段が、前記太陽電池モジュールの外枠または該外枠を係止する係止部材を締着させる締着手段である構成とすることができる。
【００２７】
上記構成によれば、太陽電池モジュールの外枠に設けられる取付用の貫通孔を使用しつつ、この太陽電池モジュールと懸架部材とをボルト等の締着部材によって、懸架部材に太陽電池モジュールを容易に設置することができる。また、太陽電池モジュールの外枠に設けられる取付用貫通孔の位置が、懸架部材と一致しない場合においては、係止部材を太陽電池モジュールに係止させ、その係止部材を懸架部材に締着させることによって、太陽電池モジュールを設置することができる。
【００２８】
さらに、上記各発明において、前記建物の一部が、組立ハウスの屋根であり、前記固定手段が、上記屋根の表面を構成する折板鋼板の山形部に装着される固定手段である構成とすることができる。
【００２９】
上記構成によれば、組立ハウスの屋根上に太陽電池モジュールを設置することも可能になる。すなわち、組立ハウスの屋根構造は、屋根基部の上部に折板鋼板による屋根表面を設けるものであるのが一般的であるところ、この折板鋼板は、その山形部に設ける貫通孔を挿通するボルト等によって屋根基部に固定されている。そこで、上記折板鋼板の山形部に設けられる貫通孔を利用することによって、フレーム支持部材を立設することが可能となり、当該フレーム支持部材にフレーム連結することによって架台を支持することができる。そして、当該架台に予め太陽電池モジュールを設置することによって、当該架台の屋根上の設置と同時に太陽電池モジュールの設置を可能にしている。
【００３０】
また、上記各発明において、前記固定手段は、前記建物の一部から突出するように設けられたフレーム支持部材と、このフレーム支持部材に前記いずれかのフレームを連結するための締着部材とを備えた構成とすることができる。
【００３１】
上記構成によれば、スレート屋根のように屋根材固定用のボルトを使用してフレーム支持部材を立設することができ、このフレーム支持部材と架台（一部のフレーム）とを連結することによって、架台を屋根に固定することができる。また、その他の部材を固定するために使用されるボルト等を使用することによって、フレーム支持部材を設けることも可能となる。
【００３２】
上記発明において、前記建物の一部が、組立ハウスの外壁であり、前記フレーム支持部材が、上記組立ハウスの柱部材に突設されたフレーム支持部材である構成とすることができる。
【００３３】
上記構成によれば、組立ハウスにおける柱部材からフレーム支持部材を横向きに突出させることができ、この横向きに突出するフレーム支持部材によってフレームを支持させることにより、架台を壁面に沿って設置することができる。従って、この架台に設けられる太陽電池モジュールは、壁面に平行な状態の表面、または、壁面に対して斜状の表面の状態で、当該組立ハウスに設置することができる。
【００３４】
また、上記各発明において、前記建物の一部が、ユニットハウスの屋根であり、前記固定手段が、上記屋根の対向する二つ端縁部に装着される固定手段である構成とすることができる。
【００３５】
上記構成によれば、ユニットハウスの屋根を構成する部分のうち、対向する端縁部にフレーム支持部材を立設することによって、このフレーム支持部材に連結されるフレームを支持することができる。従って、前記フレームで構成される外周部の少なくとも四つの角部を支持することによって、当該ユニットハウスの屋根上に太陽電池モジュールを設置することができる。このとき、架台に複数の太陽電池モジュールを設置することにより、同時に複数の太陽電池モジュールが架台を介してユニットハウスの屋根上に設置できるのである。
【００３６】
ここで、前記固定手段が、前記二つの端縁部から突出するフレーム支持部材を有するものであり、一方端縁部のフレーム支持部材が、他方端縁部のフレーム支持部材よりも高く突出してなる構成とすることができる。
【００３７】
このような構成によれば、フレーム支持部材は、ユニットハウスの対向する屋根端縁部に立設されるところ、一方の端縁に装着されるフレーム支持部材が高くなることにより、架台全体が、屋根の上面に対して斜状に設置されることとなる。また、壁面に設置する場合においても、壁面に対して斜状に設置することができる。
【発明の効果】
【００３８】
本発明によれば、予め架台に太陽電池モジュールを設置するとき、当該太陽電池モジュールが複数のフレームで形成される矩形の表面から突出することがないので、太陽電池モジュールを設置した状態において、当該フレームによる矩形の内部に設置されることとなる。従って、太陽電池モジュールが設置された架台を積み上げて保管することができるとともに、架台全体を建物の一部に設置することによって、建物の一部に太陽電池モジュールを設置することができる。すなわち、いわゆるユニット化が可能となるものである。
【００３９】
そして、架台に複数の太陽電池モジュールが設置される場合には、架台を建物の一部に固定または撤去することによって、当該架台に設置される複数の太陽電池モジュールを同時に設置および撤去することができることとなり、容易かつ迅速に太陽電池モジュールの設置または撤去を行うことができる。これにより、例えば、屋根上のような高所において作業する時間を短縮することができる。さらに、架台に太陽電池モジュールを設置する作業は、予め工場内または設置現場の地上において行うことができることから、屋根上等の高所における太陽電池モジュールの設置作業を回避することができる。特に、複数の太陽電池モジュールを使用する際には、これらの太陽電池モジュール間を接続する配線作業をも要することとなるが、予め太陽電池モジュールを架台に設置する際に、上記配線作業をも行うことができる。そして、この配線後の状態をもってユニット化することができ、複数のユニットを設置する場合には、各ユニット間の配線作業のみを行えばよいことから、さらに高所での作業時間を短縮させることができる。
【００４０】
また、複数のフレームで形成される矩形の表面から突出するように、一部のフレームに立設された突出部を備えた構成にあっては、積み上げた複数の架台のうち、上下に当接するフレーム同士を連結することができることから、当該積層状態において一体化させつつ移動させることができる。この場合においても、架台には太陽電池モジュールを設置した状態で行うことができる。
【００４１】
さらに、懸架部材の高さ寸法に差異を有する構成の太陽電池モジュールの場合には、この懸架部材によって太陽電池モジュールの表面が僅かではあるものの斜状に設置されることとなる。これにより、例えば陸屋根のように水平な屋根に太陽電池モジュールを設置する場合であっても、太陽電池モジュールの表面が僅かに傾斜することとなり、太陽電池モジュールの表面を水が流れることとなる。従って、当該太陽電池モジュールの表面に埃等が蓄積することがある場合であっても、降雨等によって当該太陽電池モジュールの表面に水が降りかかることにより、埃等を洗い流すことができるのである。このように、太陽電池モジュールの表面を降雨等によって洗い流せることから、メンテナンスの必要性を大きく減少させることとなる。
【００４２】
なお、組立ハウスの屋根に設置する構成の発明においては、屋根表面を構成する折板鋼板の山形部に設けられる貫通孔を使用することができるので、架台の設置に必要な部材を簡略にすることができる。また、ユニットハウスの屋根に設置する構成の発明においては、屋根の端縁部とフレームとを連結することとなるから、このときに使用する連結部材の長さを調整することにより、架台そのものを斜状に設置することも可能となる。このように、架台を傾斜させることにより、太陽電池モジュールの表面を所望の角度に調整することができ、陸屋のような水平な表面を有する屋根面に設置する場合における発電効率を向上させることができる。このような効果は、水平な表面の屋根に設置する場合に限らず、建物の壁面に設置する場合においても同様の効果を奏するものである。
【図面の簡単な説明】
【００４３】
【図１】本発明の第一の実施形態の概略を示す分解斜視図である。
【図２】第一の実施形態の使用状態を組立ハウスの壁面に設置する状態を示す説明図である。
【図３】第一の実施形態の使用状態を示す説明図である。
【図４】（ａ）は図３のＩＶＡ−ＩＶＡ断面図であり、（ｂ）は（ａ）の一部を変更した例を示す断面図である。
【図５】第一の実施形態の変形例の概略を示す分解斜視図である。
【図６】第一の実施形態の変形例の組立状態を示す斜視図である。
【図７】図６のＩＩＩ−ＩＩＩ断面図である。
【図８】図６の取付架台を積み重ねた状態を示す説明図である。
【図９】本発明の第二の実施形態の概略を示す分解斜視図である。
【図１０】第二の実施形態の組立状態を示す斜視図である。
【図１１】組立ハウスの屋根に設置する状態を示す説明図である。
【図１２】組立ハウスの屋根面とフレームとの関係を示す説明図である。
【図１３】ユニットハウスに設置する状態を示す説明図である。
【図１４】ユニットハウスとフレームとの固定状態を示す説明図である。
【図１５】ユニットハウスの屋根に設置する状態を示す説明図である。
【図１６】ユニットハウスの屋根に設置する場合の他の態様を示す説明図である。
【図１７】ユニットハウスの屋根に設置する場合の他の態様を示す説明図である。
【発明を実施するための形態】
【００４４】
以下、本発明の実施の形態を図面に基づいて説明する。図１は、本発明の第一の実施形態の概略を示す図である。この図に示すように、本実施形態の取付架台Ａは、一組の対向フレーム（以下、第一の対向フレームという）１，２と、もう一組の対向フレーム（以下、第二の対向フレームという）３，４とで外周部が構成されている。第一の対向フレーム１，２は同じ長さであり、第二の対向フレームも同じ長さに構成されており、各フレーム１〜４の隣接する端部を連結するように組み立てることにより、外周部の全体が矩形に形成されている。なお、第一の対向フレーム１，２と第二の対向フレーム３，４の全てが同じ長さの場合は、外周部は正方形を形成し、いずれか一方が他方より長い場合は長方形を形成することとなる。
【００４５】
上記対向フレーム１〜４のうち、任意の一組の対向フレーム（例えば、図示のような第一の対向フレーム１，２）の間に、懸架部材５ａ，５ｂ，６ａ，６ｂを設け、この懸架部材５ａ〜６ｂによって太陽電池モジュールＳＰ１，ＳＰ２を支持できるように構成されている。この懸架部材５ａ〜６ｂは、対向する二組によって各一つの太陽電池モジュールＳＰ１，ＳＰ２を支持するものであり、棒状の部材でもよいが、図示のようにアングル鋼を対向させて構成してもよい。
【００４６】
また、上記懸架部材５ａ〜６ｂには、適宜個所に貫通孔５１ａ，５２ａ，５１ｂ，５２ｂが穿設されている（図示を省略しているが６ａ，６ｂにも貫通孔が設けられている）。この貫通孔５１ａ〜５２ｂを挿通する貫通ボルト７１，７２，８１，８２によって、太陽電池モジュールＳＰ１，ＳＰ２を取り付けることができるようになっている。なお、一般的な太陽電池モジュールＳＰ１，ＳＰ２には、パネル部分の周辺に外枠部Ｆ１，Ｆ２が設けられ、この外枠部Ｆ１，Ｆ２には、設置用フレームとの取付用の貫通孔が設けられているように構成されており、本実施形態の架台では、そのような外枠部Ｆ１，Ｆ２の貫通孔の位置に合致するように懸架部材５ａ〜６ｂおよび貫通孔５１ａ〜５２ｂが設けられている。そして、外枠部Ｆ１，Ｆ２の貫通孔の位置が、懸架部材５ａ〜６ｂの貫通孔５１ａ〜６１ｂの位置に合致しない場合には、係止用の補助部材として、両孔の間に到達する係止部材を設けることにより、太陽電池モジュールＳＰ１，ＳＰ２を固定してもよい。
【００４７】
このようにして、対向フレームに装着される太陽電池モジュールＳＰ１，ＳＰ２が、高さ方向に突出しないように、一組の対向フレーム１，２の高さ寸法を大きく構成している。具体的には、当該対向フレーム１，２の高さ寸法は、その対向フレーム１，２の底部から懸架部材３ａ〜４ｂの上面の位置までの寸法と、この上面に設置される太陽電池モジュールＳＰ１，ＳＰ２の幅寸法（架台の高さ方向の寸法）とを加算した寸法よりも大きく構成するのである。
【００４８】
また、一組の対向フレーム（例えば、図示のように第二の対向フレーム３，４）には、建物の一部に固定する際に使用する貫通孔３１，３２，４１，４２が設けられている。この貫通孔３１〜４２は、後述するフレーム支持部との連結のために設けられている。この貫通孔３１〜４２を使用することによって、フレーム支持部との間をボルト等の締着部材によって連結可能になっている。
【００４９】
上記構成の本実施形態は、図２に示すように、組立ハウスに使用することができる。すなわち、本実施形態の架台Ａは、組立ハウスＰＨの柱部材ＰＯが設けられるピッチに合わせて一組の対向フレーム１，２の長さを調整しており、他方の一組の対向フレーム３，４を柱部材ＰＯに対し、直接または後述のフレーム支持部を介して取り付けることができるものである。そして、この架台Ａには予め太陽電池モジュールＳＰが装着されていることから、上記のように、一組の対向フレーム３，４を柱部材ＰＯに取り付けることによって、組立ハウスＰＨの壁面ＷＡに太陽電池モジュールＳＰを設置することができるのである。
【００５０】
ここで、上記柱部材ＰＯに架台Ａを支持するためのフレーム支持部について説明する。図３は、組立ハウスＰＨの柱部材ＰＯに設置されたフレーム支持部と架台Ａとの関係を示す説明図である。図３（ａ）に示すように、柱部材ＰＯは、壁部材ＷＡを両側で支持するように、壁部材ＷＡの端部を係入できるように構成されており、この係入部分の両部材間には、僅かな遊び（間隙）が形成されていることから、この間隙に薄肉突片を差し込むようにして、フレーム支持部９１，９２，９３，９４が柱部材ＰＯに装着される。このフレーム支持部９１〜９４は、壁部材ＷＡの両側に位置する柱部材ＰＯの各１本に２個ずつ取り付けられ、柱部材ＰＯから適宜長さを有して、架台Ａとの当接面が構成されている（図３（ａ）参照）。この当接面に架台Ａの対向フレーム３，４を当接しつつ、締着部材によって締着固定することによって、架台を取り付けることができるものである（図３（ｂ）参照）。
【００５１】
このときの壁部材ＷＡと架台Ａとの位置関係を図４（ａ）に示す。この図に示すように、フレーム支持部９３，９４は、壁部材ＷＡから適宜間隔を有した状態で架台Ａを支持することができるものである。このときの架台Ａの矩形表面は、壁部材ＷＡの表面と平行に設けており、この架台Ａに装着される太陽電池モジュールは、架台Ａの矩形表面と同様に壁部材ＷＡの表面と平行になるものである。通常は、このような方向に設けることによって、太陽電池モジュールは太陽光を十分に受けることができ得る。
【００５２】
これに対し、図４（ｂ）に示すように、架台Ａを斜状に支持するようにしてもよい。このような場合、フレーム支持部９３ａ，９４ｂは、その長さおよび角度が適宜調整されるものであり、下方に設けられるフレーム支持部９３ａを長くすることによって、架台Ａを傾斜させることができ、これにより、太陽電池モジュールの表面の斜状を形成することとなる。このような、使用態様によれば、太陽電池モジュールの表面を所望の角度に設置することができるとともに、太陽電池モジュールの面積に相当する部分が、壁部材ＷＡから外方に突出することとなり、庇としての機能をもたせることができる。なお、上記構成のフレーム支持部９３  ａ，９４ａは、架台Ａの対向フレームに垂直に当接させるため、一部において折曲させているが、当接面をフレーム支持部９３ａ，９４ａの長手方向に対して傾斜して設けてもよい。
【００５３】
次に、上記第一の実施形態の変形例について説明する。図５は、その変形例を示す説明図である。この図に示すように、変形例は、やはり二組の対向フレーム１，２，３，４によって矩形の外形部が形成されている。
【００５４】
上記対向フレーム１〜４のうち、任意の一組の対向フレーム（図は第一のフレーム１，２）の間には、前記と同様に懸架部材５，６が設けられている。ただし、変形例における懸架部材５，６は、矩形に形成された外周部の高さ方向（矩形の表面に対し直交方向）Ｚに向かって位置が異なる状態で設けられている。
【００５５】
すなわち、一組の対向フレーム１，２は、高さ方向Ｚに十分な長さを有しており、この対向フレーム１，２の高さ寸法Ｈの範囲内で、懸架部材５，６の高さ方向Ｚの位置に差異を設けているのである。本実施形態では、一方の懸架部材５は、相対的に低い位置に設けられ、他方の懸架部材６は、相対的に高い位置に設けられている。
【００５６】
また、上記懸架部材５，６には、適宜個所に貫通孔５１，５２，・・・，６１，６２，・・・が穿設されており、この貫通孔５１，５２，・・・，６１，６２，・・・を挿通する貫通ボルト７１，７２，・・・，８１，８２，・・・によって、太陽電池モジュールＳＰ１，ＳＰ２，ＳＰ３を取り付けることができるようになっている。なお、一般的な太陽電池モジュールＳＰ１，ＳＰ２，ＳＰ３には、パネル部分の周辺に外枠部Ｆ１，Ｆ２，Ｆ３が設けられ、この外枠部Ｆ１，Ｆ２，Ｆ３には、設置用フレームとの取付用の貫通孔が設けられているように構成されており、本実施形態の架台Ａでは、そのような外枠部Ｆ１，Ｆ２，Ｆ３の貫通孔の位置に合致するように懸架部材５，６および貫通孔５１，５２，・・・が設けられている。
【００５７】
また、一組の対向フレーム（図は第二の対向フレーム３，４）には、建物の一部に固定するための固定部材９１，９２，９３，９４が設けられている。本実施形態の固定部材９１〜９４は、断面Ｌ字形に折曲してなる板状部材であり、その一方の平面部（図中水平面部）は、建物の一部に装着されることにより、他方の平面部（図中垂直面部）がフレーム支持部材として機能することとなる。そして、この他方の平面部に対向フレーム３，４を装着することによって、取付架台Ａを建物の一部に固定するのである。なお、このような固定部材９１〜９４を対向フレーム３，４に装着することができるように、当該対向フレーム３，４の適宜位置には、貫通孔３１，３２，４１，４２が穿設されているのである。
【００５８】
このような構成の変形例によれば、図６に示すように、取付架台Ａの各対向フレーム１〜４で形成される矩形の内側に太陽電池モジュールＳＰ１，ＳＰ２，ＳＰ３を設置することができる。このとき、太陽電池モジュールＳＰ１〜ＳＰ３のパネル面は、懸架部材５，６の高さの相違によって、矩形表面に対して（対向フレーム１，２の長手方向に対して）斜状に設置されることとなる。また、少なくとも一組の対向フレーム（例えば、第一の対向フレーム１，２）の高さ寸法Ｈ（図５におけるＺ方向の寸法）を十分に大きく構成することにより、上記斜状に設置した太陽電池モジュールＳＰ１〜ＳＰ３の最も高い部分が、対向フレーム１，２の上面（矩形表面）から外方の突出しない状態とすることができるのである。
【００５９】
この点を詳細に説明する。図７に示すように、太陽電池モジュールＳＰ３（他の太陽電池モジュールも同様）は、二つの懸架部材５，６に当接しつつ設置されることによって、当該二つの懸架部材５，６の高さの相違によって、傾斜するようになっている。低位の懸架部材５は、対向フレーム１（，２）の下端縁付近に設けられるが、高位の懸架部材６は、対向フレーム１（，２）の高さ方向Ｚの中央付近に設けられている。この程度の高さの相違によっても、太陽電池モジュールＳＰ３の表面は十分に傾斜した状態に設置できるものである。
【００６０】
この状態において、太陽電池モジュールＳＰ３のうち最も高い位置となる部分は、太陽電池モジュールＳＰ３の外枠端縁ＦＨであり、この位置は、高位の懸架部材６に当接する位置よりも先端側である。そこで、この外枠端縁ＦＨの位置が対向フレーム１の高さ寸法の範囲内であれば、太陽電池モジュールＳＰ３は、対向フレーム１，２によって形成される中空状の空間内に収まることとなる。そのように、対向フレーム１，２の高さ寸法を設定するとともに、懸架部材５，６の位置を調整するのである。
【００６１】
上記のように、太陽電池モジュールＳＰ１，ＳＰ２，ＳＰ３を斜状に設置することによって、埃等が蓄積することを抑制するのである。すなわち、図７において示されているように、取付架台Ａを水平に設置する場合、太陽電池モジュールの表面は、水平面に対して斜状に照射することとなるから、降雨等によって水がかかると、その水が上記傾斜に沿って流下することとなり、その水の流下の際に埃等を同時に洗い流すこととなるのである。このように、水がかかるたびに、埃等を洗い流すことができることから、適当な間隔で降雨があれば、埃等が蓄積される機会を少なく抑えることができ、当該埃等の除去のためのメンテナンスをしなくてもよくなる。また、仮に、メンテナンスが必要な場合があったとしても、水をかけることで、埃等を除去できることから、手軽な散水装置によってメンテナンスが可能となる。つまり、高所でのメンテナンス作業をしなくてもよいのである。
【００６２】
また、本実施形態の一組の対向フレーム１，２には、外周部を構成する各対向フレーム１〜４により形成される矩形の表面よりも高さ方向Ｚに突出する突出部１１，１２，２１，２２が設けられている（図５参照）。この突出部１１〜２２は、取付架台Ａを複数重ねた状態で、上下の架台を連結する際に使用するものである。すなわち、図７に示しているように、太陽電池モジュールＳＰ３は、対向フレーム１，２によって形成される中空状の空間内部に収まるように設けられることから、この対向フレーム１，２が上下に重ねて当接するように積み上げれば、取付架台Ａの取り付けられた太陽電池モジュールＳＰ３は、上下の取付架台Ａの一部や他の部材と接触することがないのである。従って、このような条件下において取付架台Ａを複数積み上げることが可能となっている。
【００６３】
そして、図８に示すように、複数の取付架台Ａａ，Ａｂ・・・Ａｄを積み上げる際には、対向フレーム１，２に設けられる突出部１１ａ，１１ｂ，１１ｃ，１２ａ，１２ｂ，１２ｃを使用して、上下に隣接する取付架台Ａａ〜Ａｄを連結することができるのである。なお、具体的な連結方法は、突出部１１ａ〜１２ｃには、貫通孔が穿設されており、この貫通孔にボルトを挿通するとともに、対向フレーム１，２の側面に設けられるネジ孔にボルトを螺合するようにして、締着固定されるものである。
【００６４】
このように、本実施形態の太陽電池モジュールの取付架台を使用することにより、複数の太陽電池モジュールＳＰ１〜ＳＰ３を同時に建物の一部（例えば、屋根上）に設置できるとともに、複数の同種の取付架台Ａを積み上げることができるものである。さらに、積み上げた取付架台Ａを突出部で固定することにより、積み上げた状態を安定的に維持させることができる。
【００６５】
従って、太陽電池モジュールＳＰ１〜ＳＰ３を取付架台Ａに設置する作業は工場内において行うことができ、これらの作業が終了し、太陽電池モジュールＳＰ１〜ＳＰ３と一体となった取付架台を建物の構築現場に搬入することができる。しかも、太陽電池モジュールＳＰ１〜ＳＰ３が取り付けられた状態を維持しつつ建物の一部に取付架台Ａを固定し、またはその解除を行うことにより、太陽電池モジュールＳＰ１〜ＳＰ３の設置および撤去を行うことができることから、非常に簡便かつ迅速に作業することができるものである。
【００６６】
次に、第二の実施形態について説明する。本実施形態は、図９に示すように、平行な二本の長軸フレーム１０１，１０２と、短軸フレーム１０３，１０４とで略長方形の外周部が形成され、さらに、長軸フレーム１０１，１０２の間に複数の（図中３本の）仕切フレーム２０３，３０３，４０３が懸架されて、複数の矩形に区分された領域（これを矩形領域と称する場合がある）Ｅ１，Ｅ２，Ｅ３，Ｅ４が設けられている。
【００６７】
第一の矩形領域Ｅ１は、長軸フレーム１０１，１０２の一部と、短軸フレーム１０３と、第一の仕切フレーム２０３とで矩形に形成されたものである。また、第二の矩形領域Ｅ２は、長軸フレーム１０１，１０２の一部と、第一および第二の仕切フレーム２０３，３０３とで矩形に形成され、第三の矩形領域Ｅ３は、同様に、長軸フレーム１０１，１０２の一部と、第二および第三の仕切フレーム３０３，４０３とで矩形に形成されたものである。残りの第四の矩形領域Ｅ４は、長軸フレーム１０１，１０２の一部と、第三の仕切フレーム４０３と、他方の短軸フレーム１０４とで矩形に形成されたものである。
【００６８】
このような複数の領域Ｅ１〜Ｅ４は、それぞれが太陽電池モジュールＳＰ１１，ＳＰ１２，・・・，ＳＰ４２を装着できる領域とされており、それぞれに懸架部材１０５，１０６，・・・，４０６が設けられている。本実施形態における上記懸架部材１０５〜４０６は、いずれも長軸フレーム１０１，１０２の間に懸架されるように設けられている。なお、この懸架部材１０５〜４０６は、短軸フレーム１０３，１０４および仕切フレーム２０３，３０３，４０３の間に懸架する構成としてもよい。いずれの形態においても、上記各フレーム等により取付架台Ｂの概略が形成されるものである。
【００６９】
ここで、各領域Ｅ１〜Ｅ４に設けられる懸架部材１０５〜４０６は、取付架台Ｂの高さ方向Ｚの位置が異なる状態で設けられている。これは、第一の実施形態と同様に、太陽電池モジュールＳＰ１１〜ＳＰ４２を斜状に取り付けるためのものである。本実施形態では、それぞれ２本ずつ懸架されており、いずれも、一方の短軸フレーム１０３の側に位置する懸架部材１０５，２０５，３０５，４０５については低位に配置され、他方の短軸フレーム１０４の側に位置する懸架部材１０６，２０６，３０６，４０６については高位に配置されている。また、いずれの懸架部材１０５〜４０６についても適宜位置に貫通孔が設けられ、太陽電池モジュールＳＰ１１〜ＳＰ４２の外枠をボルト等の締着部材によって締着できるようにしている。
【００７０】
従って、図１０に示すように、本実施形態では、各領域Ｅ１〜Ｅ４の懸架部材１０５〜４０６の高さを上述のように調整されていることから、全ての太陽電池モジュールＳＰ１１〜ＳＰ４２が、一方の短軸フレーム１０３の側を低くし、他方の短軸フレーム１０４の側を高くして設置できるようになっている。
【００７１】
また、長軸フレーム１０１，１０２の高さ寸法Ｈが、適度に大きく設けられていることにより、第一の実施形態と同様に、両フレーム１０１，１０２で形成される中空状の空間部内に各太陽電池モジュールＳＰ１１〜ＳＰ４２が収まるようになっている。つまり、斜状に取り付けられる太陽電池モジュールＳＰ１１〜４２の最も高位の端縁部が、長軸フレーム１０１，１０２の上端面よりも高さ方向Ｚに突出することがないように構成されているのである。
【００７２】
これにより、同種の取付架台Ｂを複数重ねる際において、上下に積層される取付架台Ｂの長軸フレーム１０１，１０２を当接させることによって、設置されている太陽電池モジュールＳＰ１１〜ＳＰ４２は、上下に積層される取付架台Ｂおよびその取付架台Ｂに設置される部材等との間で、相互に接触することを回避できることとなる。
【００７３】
なお、本実施形態においても、図１０に示されているように、積層時の状態を維持させるための突出部１１１，１１２，１２１，１２２が長軸フレーム１０１，１０２に設けられており、上記複数の取付架台Ｂを積み上げた際に上位の長尺フレーム１０１，１０２にボルト等で締着させることできるようになっている。また、短軸フレーム１０３，１０４には、建物の一部に固定するための部材１９１，１９２，１９３，１９４が着脱可能に設けられている。
【００７４】
本実施形態は、上記のような構成であることから、単一の取付架台Ｂに多数の太陽電池モジュールＳＰ１１〜４２を取り付けることが可能となり、予めこれらの太陽電池モジュールＳＰ１１〜４２を取付架台Ｂに取り付けておけば、取付架台Ｂの建物に対する設置によって、同時に多数の太陽電池モジュールＳＰ１１〜４２の取り付けを完了させることができる。また、撤去の場合も同時に多数の撤去が可能となる。さらに、太陽電池モジュールＳＰ１１〜ＳＰ４２を取り付けた状態の複数の取付架台Ｂを積層させ、かつ、その状態を安定的に維持させることができることから、取付架台Ｂから太陽電池モジュールＳＰ１１〜ＳＰ４２を取り外すことなく、保管および移動をすることが可能となるものである。
【００７５】
次に、上記実施形態の取付架台を組立ハウスの屋根に設置する場合の形態について説明する。なお、使用する取付架台は、第二の実施形態を例示して説明する。組立ハウスは、設置場所において組み立てられる建物であって、建物を構成する柱部材、壁部材、床部材および屋根部材等の各部材は、分解された状態で設置現場に搬送されるとともに、設置場所において各部材を順次組み立てることによって建物が構築されるのである。
【００７６】
組立ハウスの概略を図１１に示す。この図に示すように、組立ハウスＰＨの屋根は、屋根基部ＬＶの上面に、屋根表面を構成する折板鋼板ＬＰが設けられており、折板鋼板ＬＰは、断面形状を波状に折り曲げられた鋼板であり、その谷形部Ｔに雨水を流下させ、この谷形部Ｔの長手方向に雨水を排出させる構成となっている。そのため、屋根基部ＬＶと折板鋼板ＬＰとの連結には山形部Ｙが使用される。具体的には、山形部Ｙに貫通孔が設けられ、屋根基部ＬＶから立設されるボルトに当該貫通孔を挿通し、その先端からナットを螺着するものである。
【００７７】
そこで、この種の屋根に取付架台Ｂを設置する場合には、前記ボルトを固定部材１９１〜１９４の一方の平面部に設けられている貫通孔に挿通し、この固定部材１９１〜１９４を介してナットで締着するのである。これにより、屋根にフレーム支持部材が設けられ、上記固定部材１９１〜１９４の他方の平面部にフレームを連結することによって、取付架台Ｂを設置するのである。
【００７８】
その詳細を図１２に示す。図１２（ａ）に示すように、組立ハウスの屋根構造は、屋根基部ＬＶの上面に帯状かつ長手方向に波状に折曲された屋根受け部ＬＣが設けられており、この屋根受け部ＬＣに係合するように、折板鋼板ＬＰが設置される。屋根基部ＬＶに対して屋根受け部ＬＣは溶接等によって強固に固定されており、この屋根受け部ＬＣに折板鋼板ＬＰを固定することによって、屋根面が強固に構成されるものである。屋根受け部ＬＣと折板鋼板ＬＰとの結合には、山形部Ｔが使用され、屋根受け部ＬＣに穿設される貫通孔ＣＨと、山形部Ｔに穿設される貫通孔ＰＨとがボルトＢＴおよびナットＮＴによって締着されるのである。このとき、雨水が貫通孔ＰＨ，ＣＨから侵入しないように折板鋼板ＬＰの上面側には保護カバーＣＣが設けられる。
【００７９】
そこで、このような折板鋼板ＬＰを固定するための貫通孔ＰＨ（および屋根受け部ＬＣの貫通孔ＣＨ）を使用して、取付架台Ｂを固定するのである。例えば、折板鋼板ＬＰを取り付けるためのボルトＢＴを、架台Ｂの固定部材１９１を挿通させつつ上記貫通孔ＰＨ（，ＣＨ）に挿通して、ナットＮＴにより固定することができる。また、折板鋼板ＬＰを固定したうえで、後に架台Ｂを設置するときには、全体に雄ネジを螺刻してなるボルト（例えば、いもネジ）１９５を使用し、屋根の表面からボルトの雄ネジ部分が突出する状態で固定部材１９１の貫通孔を挿通させ、ナット１９６で締着させることも可能である。
【００８０】
上記のような構成の場合、図１２（ｂ）に示すように、折板鋼板ＬＰの山形部Ｙの上部において固定部材１９１が固定されることから、取付架台Ｂを構成する長軸フレーム１０１および短軸フレーム１０３は、折板鋼板ＬＰよりも上方に設置することができることとなる。なお、固定部材１９１は、断面Ｌ字形とすることにより、水平面部は、折板鋼板ＬＰとの連結部として機能させることができ、垂直面部は、取付架台Ｂのフレーム（図は短軸フレーム１０３）の支持部として機能させることができるのである。そして、垂直面部に設けられる貫通孔に位置を調整することにより、取付架台Ｂのフレーム（短軸フレーム１０３）を支持する高さを変更することができるのである。つまり、折板鋼板ＬＰが傾斜するような場合（雨水流下のための勾配を設ける場合など）には、その傾斜を考慮して取付架台Ｂの固定部材の高さ（貫通孔の高さ）を調整することにより、所望の傾斜角度で取付架台Ｂを設置することができる。
【００８１】
次に、上記実施形態の取付架台をユニットハウスの屋根に設置する場合の形態について説明する。ここでも第二の実施形態における取付架台Ｂを例示して説明する。ユニットハウスは、ユニットを単位として予め構築された建物の一部を設置場所に搬入し、当該設置場所においてユニットを連結して構築されるものである。
【００８２】
ユニットハウスＵＨの概略を図１３に示す。この図に示すように、ユニットハウス全体は、複数のユニット（図では、三つのユニット）Ｕ１，Ｕ２，Ｕ３が並列に設置され、その隣接する端部が連結されるものである。各ユニットＵ１，Ｕ２，Ｕ３のそれぞれが対向する部分は開口しており、連結後には、一体的な建物空間を享受できる構造になっている。連結に際しては、対向する柱部材に間隙を閉塞する部材が挟持されるとともに、適宜個所（数ヶ所）を連結部材Ｊ１，Ｊ２によって行われる。
【００８３】
そこで、このようなユニットハウスＵＨに取付架台Ｂを固定する場合には、前述の連結部材Ｊ１，Ｊ２のうち上端に設けられるものに固定部材を連結することにより行われる。すなわち、図１４に示すように、隣接するユニットＵ１，Ｕ２の当接する端部には、柱部材Ｐ１，Ｐ２が設けられており、この柱部材Ｐ１，Ｐ２を連結部材Ｊ１により連結してユニットハウスが形成されるのであるが、固定部材２９１は、この連結部材Ｊ１に連結されるものである。そして、この固定部材２９１の上端には、さらに、フレーム当接部材２９０が装着され、両者によってフレーム支持部材２０９が構成されるものである。
【００８４】
フレーム支持部材２０９を構成する各部材は、それぞれボルトおよびナットによって締着され、フレーム当接部材２９０は、ユニットＵ１，Ｕ２の屋根部分（図示せず）よりも上方に位置するように設けられる。そして、屋根上においては、取付架台Ｂの長軸フレーム（１０１，）１０２の端縁部１２３がフレーム当接部材２９０に連結されるのである。この端縁部１２３が連結部材として機能するのであり、当該端縁部１２３は、長軸フレーム（１０１，）１０２と独立して構成されるものではなく、その一部を折曲して構成されるものである。
【００８５】
このようなフレーム支持部材２０９は、図１５に示すように、ユニットハウスＵＨの屋根部分全体のうち対向する二つの端縁部ＥＧ１，ＥＧ２に二組設けられ、つまり、対向する一組ごとに各二個（合計四個）のフレーム支持部材１０９ａ，２０９ｂ，２０９ｃ，２０９ｄを設けられるものであり、取付架台Ｂの長軸フレーム１０１，１０２の両端を支持する構成となっている。これにより、取付架台Ｂの四つの角部分を支持することができるのである。なお、組とは、対向するものを指しており、図１５においては、符号１０９ａと符号１０９ｂのフレーム支持部材を組としている。従って、少なくとも二組の支持部材１０９ａ〜１０９ｄにより四個所で支持できるが、さらに多数の組の支持部材により支持するようにしてもよい。
【００８６】
このように、取付架台Ｂを支持することにより、取付架台Ｂは、ユニットハウスＵＨの屋根上に設置することができ、この取付架台Ｂに取り付けられる太陽電池モジュールＳＰ１１〜ＳＰ４２を同時にユニットハウスＵＨの屋根に設置することができるのである。
【００８７】
なお、図１６に示すように、二組のフレーム支持部材２０９ａ，２０９ｂ，２０９ｃ，２０９ｄのうち、各組の片方のフレーム支持部材２０９ｂ，２０９ｄの位置を、他方のフレーム支持部材２０９ａ，１０９ｂの位置よりも高くすることにより、取付架台Ｂを傾斜して設けることも可能である。このように、取付架台Ｂを傾斜させて設置できれば、太陽電池モジュールの表面を太陽光に対し直交方向に近い状態で配置することができる。
【００８８】
本発明の実施形態は上記のとおりであるが、本発明の趣旨を逸脱しない範囲であれば種々の態様をとるこができる。例えば、図１７に示すように、ユニットハウスＵＨの屋根における架台Ｂを別の一組のフレーム支持部２０９ｃ，２０９ｄを高くするように支持する構成とすることしてもよい。この場合、ユニットハウスＵＨが設けられる際に、南側がどちらかによって、架台Ｂの傾斜角度を変更することが可能となるものである。
【００８９】
また、前述の実施形態の懸架部材は、いずれの形態においても２本であるが、これは、太陽電池モジュールを傾斜させるために最小の数で例示したものであり、これに限定されるものではなく、３本以上の懸架部材を設けた構成としてもよい。
【００９０】
なお、実施形態におけるフレーム同士の接合、および、フレームと懸架部材との接合においては、特に着脱可能である必要はないことから、溶接等によって固着されるものである。これらの接合は、強度を保持できるものであれば、溶接等のほかに鋲着によって接合してもよい。また、フレームおよび懸架部材に供される部材は、断面Ｃ形状および断面四角形状で図示されているが、これはＣ型鋼および角鋼管を使用することによって構成できることを例示するものであって、これらの形状・材料に限定されるものではない。さらに、本実施形態には、太陽電池モジュールに接続される配線ボックスその他の部材については記述していないが、これらは、取付架台Ａ，Ｂの外方において適宜設置されるものである。
【符号の説明】
【００９１】
１，２  第一の対向フレーム（一組の対向フレーム）
３，４  第二の対向フレーム（一組の対向フレーム）
５，６  懸架部材
１１，１２，２１，２２  突出部
５１，５２，６１，６２  貫通孔
７１，７２，８１，８２  貫通ボルト
９１，９２，９３，９４  固定部材（フレーム支持部材）
１０１，１０２  長軸フレーム
１０３，１０４  短軸フレーム
１０５，１０５，２０５，２０６，３０５，３０６，４０５，４０６  懸架部材
１９１  固定部材（フレーム支持部材）
２０３，３０３，４０３  仕切フレーム
Ａ，Ｂ  取付架台
Ｅ１，Ｅ２，Ｅ３，Ｅ４  矩形領域
Ｆ１，Ｆ２，Ｆ３  太陽電池モジュールの外枠部
ＳＰ１，ＳＰ２，ＳＰ３  太陽電池モジュール
ＳＰ１１，ＳＰ１２，ＳＰ２１，ＳＰ２２，ＳＰ３１，ＳＰ３２，ＳＰ４１，ＳＰ４２  太陽電池モジュール
【図１】
0005442665.tif 000002
【図２】
0005442665.tif 000003
【図３】
0005442665.tif 000004
【図４】
0005442665.tif 000005
【図５】
0005442665.tif 000006
【図６】
0005442665.tif 000007
【図７】
0005442665.tif 000008
【図８】
0005442665.tif 000009
【図９】
0005442665.tif 000010
【図１０】
0005442665.tif 000011
【図１１】
0005442665.tif 000012
【図１２】
0005442665.tif 000013
【図１３】
0005442665.tif 000014
【図１４】
0005442665.tif 000015
【図１５】
0005442665.tif 000016
【図１６】
0005442665.tif 000017
【図１７】
0005442665.tif 000018